(57)【特許請求の範囲】
【請求項１】
・１質量％〜３５質量％の式Ｉの１種類以上の化合物と、
・１５質量％〜５５質量％の式ＩＩおよびＩＩＩの化合物群より選択される１種類以上の化合物（ただし、少なくとも、式ＩＩＩ−１ｇ−４、ＩＩＩ−１ｇ−５およびＩＩＩ−１ｈ−３の化合物から成る群より選択される１種類以上の化合物を含む。）と、
・２０質量％〜７５量％の式ＩＶの１種類以上の化合物（ただし、少なくとも、式ＩＶ−９の化合物から成る群より選択される１種類以上の化合物を含む。）と
を含む（ただし、式Ｉ、ＩＩ、ＩＩＩおよびＩＶの化合物の総濃度は１００質量％以下である。）液晶媒体。
【化１】
0005546771.tif 000062
（式中、
Ｒ１１およびＲ１２は、それぞれ互いに独立に、アルキル、アルコキシ、フッ素化されたアルキルまはたフッ素化されたアルコキシ、アルケニル、アルケニルオキシ、アルコキシアルキルまたはフッ素化されたアルケニルである。）
【化２】
0005546771.tif 000063
（式中、
Ｒ２およびＲ３は、それぞれ互いに独立に、炭素数１〜７のアルキル、アルコキシ、フッ素化されたアルキルまはたフッ素化されたアルコキシ、炭素数２〜７のアルケニル、アルケニルオキシ、アルコキシアルキルまたはフッ素化されたアルケニルであり、
【化３．１】
0005546771.tif 000064
Ｌ２１、Ｌ２２、Ｌ３１およびＬ３２は、それぞれ互いに独立に、ＨまたはＦであり、
Ｘ２およびＸ３は、それぞれ互いに独立に、ハロゲン、炭素数１〜３のハロゲン化されたアルキルまたはアルコキシ、または炭素数２または３のハロゲン化されたアルケニルまたはアルケニルオキシであり、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合であり、および
ｌ、ｍ、ｎおよびｏは、それぞれ互いに独立に、０または１である。）
【化３．２】
0005546771.tif 000065
（式中、Ｒ３は上で与えられる意味を有する。）
【化３．３】
0005546771.tif 000066
（式中、Ｒ３は上で与えられる意味を有する。）
【化４】
0005546771.tif 000067
（式中、
Ｒ４１およびＲ４２は、それぞれ互いに独立に、上で式ＩＩにおいてＲ２に与えられる意味を有し、
【化５．１】
0005546771.tif 000068
Ｚ４１およびＺ４２は、それぞれ互いに独立に、および、Ｚ４１が２回存在する場合は、これらもそれぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合であり、および
ｐは、０、１または２であり、
ただし、式ＩＶの化合物より式ＩＩおよびＩＩＩの化合物は除外される。）
【化５．２】
0005546771.tif 000069
（式中、
Ｒ４１およびＲ４２は、それぞれ互いに独立に、炭素数１〜７のアルキル、アルコキシ、フッ素化されたアルキルまたはフッ素化されたアルコキシ、炭素数２〜７のアルケニル、アルケニルオキシ、アルコキシアルキルまたはフッ素化されたアルケニルであり、
Ｌ４は、ＨまたはＦである。）
【請求項２】
式Ｉの化合物は、式Ｉ−１〜Ｉ−４の化合物群より選択される請求項１に記載の液晶媒体。
【化６】
0005546771.tif 000070
（式中、
Ｒ１２は、式Ｉにおいて請求項１中で与えられる意味を有する。）
【請求項３】
請求項１中で与えられる通りの式ＩＩの化合物を１種類以上含む請求項１または２に記載の液晶媒体。
【請求項４】
請求項１中で与えられる通りの式ＩＩＩの化合物を１種類以上含む請求項１〜３のいずれか一項に記載の液晶媒体。
【請求項５】
１種類以上の式Ｖの化合物を追加的に含む請求項１〜４のいずれか一項に記載の液晶媒体。
【化７】
0005546771.tif 000071
（式中、
Ｒ５は、炭素数１〜７のアルキル、アルコキシ、フッ素化されたアルキルまはたフッ素化されたアルコキシ、炭素数２〜７のアルケニル、アルケニルオキシ、アルコキシアルキルまたはフッ素化されたアルケニルであり、好ましくは、アルキルまたはアルケニルであり、
【化８】
0005546771.tif 000072
Ｌ５１およびＬ５２は、それぞれ互いに独立に、ＨまたはＦであり、
Ｘ５は、ハロゲン、炭素数１〜３のハロゲン化されたアルキルまたはアルコキシ、または炭素数２または３のハロゲン化されたアルケニルまたはアルケニルオキシであり、
Ｚ５は、−ＣＨ２ＣＨ２−、−ＣＦ２ＣＦ２−、−ＣＯＯ−、トランス−ＣＨ＝ＣＨ−、トランス−ＣＦ＝ＣＦ−または−ＣＨ２Ｏ−であり、および
ｑは、０または１である。）
【請求項６】
１種類以上の式ＶＩの化合物を追加的に含む請求項１〜５のいずれか一項に記載の液晶媒体。
【化９】
0005546771.tif 000073
（式中、
Ｒ６１およびＲ６２は、それぞれ互いに独立に、請求項１中で式ＩＩにおいてＲ２に与えられる意味を有し、
【化１０】
0005546771.tif 000074
Ｚ６１およびＺ６２は、それぞれ互いに独立に、および、Ｚ６１が２回存在する場合は、これらもそれぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合であり、および
ｒは、０、１または２である。）
【請求項７】
請求項１〜６のいずれか一項に記載の液晶媒体を含有する液晶ディスプレイ。
【請求項８】
アクティブマトリクスによりアドレスされる請求項７に記載の液晶ディスプレイ。
【請求項９】
液晶ディスプレイ中における請求項１〜６のいずれか一項に記載の液晶媒体の使用。
【発明の詳細な説明】
【技術分野】
【０００１】
本発明は液晶媒体、好ましくは、１種類以上の誘電的に中性の化合物および１種類以上の誘電的に正の化合物を含む誘電的に正のネマチック媒体と、これらの媒体を備える液晶ディスプレイ、特に、アクティブマトリクスによりアドレスされるディスプレイ、特には、ＴＮ−、ＩＰＳ−、ＦＦＳ−またはＯＣＢ−型ディスプレイに関する。
【背景技術】
【０００２】
液晶ディスプレイ（ＬＣＤ：Ｌｉｑｕｉｄ  Ｃｒｙｓｔａｌ  Ｄｉｓｐｌａｙ）は、情報を表示するために広く使用されている。ＬＣＤは、直視ディスプレイ用ならびに投射型ディスプレイ用として使用されている。用いられる電気光学モードは、例えば、捩れネマチック（ＴＮ：Ｔｗｉｓｔｅｄ  Ｎｅｍａｔｉｃ）−、超捩れネマチック（ＳＴＮ：Ｓｕｐｅｒ  Ｔｗｉｓｔｅｄ  Ｎｅｍａｔｉｃ）−、光学補償ベンド（ＯＣＢ：Ｏｐｔｉｃａｌｌｙ  Ｃｏｍｐｅｎｓａｔｅｄ  Ｂｅｎｄ）−および電気制御複屈折（ＥＣＢ：Ｅｌｅｃｔｒｉｃａｌｌｙ  Ｃｏｎｔｒｏｌｌｅｄ  Ｂｉｒｅｆｒｉｎｇｅｎｃｅ）−モードとそれらの種々の変法で、例えば、垂直配向ネマチック（ＶＡＮ：Ｖｅｒｔｉｃａｌｌｙ  Ａｌｉｇｎｅｄ  Ｎｅｍａｔｉｃ）−、パターン化ＩＴＯ垂直配向ネマチック（ＰＶＡ：Ｐａｔｔｅｒｎｅｄ  ＩＴＯ  Ｖｅｒｔｉｃａｌｌｙ  Ａｌｉｇｎｅｄ  ｎｅｍａｔｉｃ）−、高分子安定化垂直配向ネマチック（ＰＳＶＡ：Ｐｏｌｙｍｅｒ  Ｓｔａｂｉｌｉｚｅｄ  Ｖｅｒｔｉｃａｌｌｙ  Ａｌｉｇｎｅｄ  ｎｅｍａｔｉｃ）−および多重ドメイン垂直配向ネマチック（ＭＶＡ：Ｍｕｌｔｉ  ｄｏｍａｉｎ  Ｖｅｒｔｉｃａｌｌｙ  Ａｌｉｇｎｅｄ  ｎｅｍａｔｉｃ）−モードなど、ならびに他のモードである。これらのモードは全て、基板と液晶層とにそれぞれ実質的に垂直な電場を使用する。これらのモードに加え、基板と液晶層とにそれぞれ実質的に平行な電場を用いる電気光学的モード、例えば、インプレーンスイッチング（略してＩＰＳ：Ｉｎ  Ｐｌａｎｅ  Ｓｗｉｔｃｈｉｎｇ）モード（例えば、独国特許第４０００４５１号（特許文献１）および欧州特許第０５８８５６８号（特許文献２）に開示されている）およびフリンジ場スイッチング（ＦＦＳ：Ｆｒｉｎｇｅ  Ｆｉｅｌｄ  Ｓｗｉｔｃｈｉｎｇ）モードなどもある。とりわけ、これらの電気光学的モードは、最新のデスクトップモニター向けおよび更にはテレビ用およびマルチメディア用途用ディスプレイ向けのＬＣＤ用に使用される。本発明による液晶は、好ましくは、これらの型のディスプレイで使用される。
【０００３】
これらのディスプレイには、改良された特性を有する新規な液晶媒体が求められている。特に、コントラスト比は、多くのタイプの用途ために改良される必要がある。よって、改良された挙動の液晶媒体が求められている。それらの回転粘度は１００ｍＰａ・ｓ以下であるべきで、好ましくは９０ｍＰａ・ｓ以下、特には８０ｍＰａ・ｓ以下である。このパラメーターに加えて、媒体は適切に広範囲のネマチック相、適切な複屈折（Δｎ）を示すべきであり、そして誘電異方性（Δε）は合理的に低い動作電圧を許容するのに十分高くあるべきである。好ましくは、Δεは４より高くあるべきで、非常に好ましくは５より高いが、もう１つの要求となる少なくとも合理的に高い比抵抗に不利に働くので、好ましくは１５以下、特には１０以下であり、特にアクティブマトリクスのアドレスのためで最も好ましくは、５〜９の範囲内である。
【０００４】
本発明によるディスプレイは、好ましくはアクティブマトリクス（Ａｃｔｉｖｅ  Ｍａｔｒｉｘ  ＬＣＤ、略してＡＭＤ）、好ましくは薄膜トランジスタ（ＴＦＴ：Ｔｈｉｎ  Ｆｉｌｍ  Ｔｒａｎｓｉｓｔｏｒ）マトリクスによりアドレスされる。しかしながら、本発明の液晶は、他の既知のアドレス手段によるディスプレイにも有益に使用することができる。
【０００５】
ＬＣＤおよび特にはＩＰＳディスプレイに適切な液晶組成物は、例えば、特開平０７−１８１４３９号公報（特許文献３）、欧州特許第０６６７５５５号（特許文献４）、欧州特許第０６７３９８６号（特許文献５）、ドイツ国特許第１９５０９４１０号（特許文献６）、ドイツ国特許第１９５２８１０６号（特許文献７）、ドイツ国特許第１９５２８１０７号（特許文献８）、国際特許出願公開第９６／２３８５１号公報（特許文献９）および国際特許出願公開第９６／２８５２１号公報（特許文献１０）より既知である。しかしながら、これらの組成物は物理的特性に関して顕著な欠点を有している。例えば、ディスプレイを、例えばテレビのディスプレイ用に最近激しく競争されているＶＡモードの１つで動作するディスプレイと比較する場合、それらの欠点の殆どは、他の欠点の中でも、好ましくない低いコントラスト比につながる。
【先行技術文献】
【特許文献】
【０００６】
【特許文献１】独国特許第４０００４５１号
【特許文献２】欧州特許第０５８８５６８号
【特許文献３】特開平０７−１８１４３９号公報
【特許文献４】欧州特許第０６６７５５５号
【特許文献５】欧州特許第０６７３９８６号
【特許文献６】ドイツ国特許第１９５０９４１０号
【特許文献７】ドイツ国特許第１９５２８１０６号
【特許文献８】ドイツ国特許第１９５２８１０７号
【特許文献９】国際特許出願公開第９６／２３８５１号公報
【特許文献１０】国際特許出願公開第９６／２８５２１号公報
【発明の概要】
【発明が解決しようとする課題】
【０００７】
よって、広いネマチック相範囲、使用されるディスプレイモードによる適切な光学異方性Δｎ、高いΔε、低い粘度、特に低い回転粘度（γ１）およびディスプレイ中における特に高いコントラスト比などの実用的な用途に適切な特性を有する液晶媒体に対する多大な要求がある。
【課題を解決するための手段】
【０００８】
ここで驚くべきことに、適切な相範囲、適切に高いΔεおよびΔｎの値および適切に低い粘度の液晶媒体を実現できることが見出され、それは先行技術の材料の欠点を示さないか、または少なくとも格別により小さな程度にしか示さない。
【０００９】
本出願のこれらの改善された液晶媒体は、少なくとも以下（１種類以上の式Ｉの誘電的に中性の化合物、１種類以上の式ＩＩおよびＩＩＩの化合物群より選択され、３より大きい誘電異方性を有する誘電的に正の化合物、および１種類以上の式ＩＶの誘電的に中性の化合物）を含む。
【００１０】
・１種類以上の式Ｉの誘電的に中性の化合物。
【００１１】
【化１】
0005546771.tif 000002
式中、
Ｒ１１およびＲ１２は、それぞれ互いに独立に、好ましくは炭素数１〜７の、アルキル、アルコキシ、フッ素化されたアルキルまはたフッ素化されたアルコキシ、好ましくは炭素数２〜７の、アルケニル、アルケニルオキシ、アルコキシアルキルまたはフッ素化されたアルケニルであり、Ｒ１１は好ましくはアルケニル、より好ましくは１−Ｅ−アルケニル、最も好ましくはビニルであり、Ｒ１２は好ましくはアルキル、より好ましくはｎ−アルキル、最も好ましくはメチルまたはエチルである。
【００１２】
・１種類以上の式ＩＩおよびＩＩＩの化合物群より選択され、３より大きい誘電異方性を有する誘電的に正の化合物。
【００１３】
【化２】
0005546771.tif 000003
式中、
Ｒ２およびＲ３は、それぞれ互いに独立に、炭素数１〜７のアルキル、アルコキシ、フッ素化されたアルキルまはたフッ素化されたアルコキシ、炭素数２〜７のアルケニル、アルケニルオキシ、アルコキシアルキルまたはフッ素化されたアルケニルであり、Ｒ２およびＲ３は、好ましくは、アルキルまたはアルケニルであり、
【００１４】
【化３】
0005546771.tif 000004
Ｌ２１、Ｌ２２、Ｌ３１およびＬ３２は、それぞれ互いに独立に、ＨまたはＦであり、好ましくは、Ｌ２１および／またはＬ３１はＦであり、
Ｘ２およびＸ３は、それぞれ互いに独立に、ハロゲン、炭素数１〜３のハロゲン化されたアルキルまたはアルコキシ、または炭素数２または３のハロゲン化されたアルケニルまたはアルケニルオキシであり、好ましくは、Ｆ、Ｃｌ、−ＯＣＦ３または−ＣＦ３、最も好ましくは、Ｆ、Ｃｌまたは−ＯＣＦ３であり、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合であり、好ましくは、−ＣＨ２ＣＨ２−、−ＣＯＯ−、トランス−ＣＨ＝ＣＨ−または単結合であり、最も好ましくは、−ＣＯＯ−、トランス−ＣＨ＝ＣＨ−または単結合であり、および
ｌ、ｍ、ｎおよびｏは、それぞれ互いに独立に、０または１である。
【００１５】
・１種類以上の式ＩＶの誘電的に中性の化合物。
【００１６】
【化４】
0005546771.tif 000005
式中、
Ｒ４１およびＲ４２は、それぞれ互いに独立に、上で式ＩＩにおいてＲ２に与えられる意味を有し、好ましくは、Ｒ４１はアルキルでＲ４２はアルキルまたはアルコキシであるか、または、Ｒ４１はアルケニルでＲ４２はアルキルであり、
【００１７】
【化５】
0005546771.tif 000006
【００１８】
【化６】
0005546771.tif 000007
Ｚ４１およびＺ４２は、それぞれ互いに独立に、および、Ｚ４１が２回存在する場合は、これらもそれぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合であり、好ましくは、それらの少なくとも一つは単結合であり、および
ｐは、０、１または２、好ましくは０または１であり、
但し、式Ｉの化合物は除外される。
【発明を実施するための形態】
【００１９】
本発明の好ましい実施形態において、本出願による液晶媒体は、式Ｉ−１〜Ｉ−４の化合物群より選択される、好ましくは式Ｉ−１の１種類以上の化合物を含む。
【００２０】
【化７】
0005546771.tif 000008
式中、
Ｒ１２は上で式Ｉにおいて与えられる意味を有し、好ましくは、アルキル、１−Ｅ−アルケニルまたは３−アルケニルであり、より好ましくは、アルキル、最も好ましくは、メチルまたはエチルである。
【００２１】
本発明の好ましい実施形態において、本出願による液晶媒体は、式ＩＩ−１〜ＩＩ−３の化合物群より選択される１種類以上の化合物を含む。
【００２２】
【化８】
0005546771.tif 000009
式中、
パラメーターは上で式ＩＩにおいて与えられるそれぞれの意味を有し、および式ＩＩ−３中でパラメーターＬ２３およびＬ２４は、それぞれ互いに、および他のパラメーターと独立に、ＨまたはＦである。
【００２３】
好ましくは、Ｌ２１およびＬ２２またはＬ２３およびＬ２４の両方がＦである式ＩＩ−１〜ＩＩ−３の化合物群より選択される化合物を媒体が含む。
【００２４】
好ましくは媒体は、式ＩＩ−１の１種類以上、好ましくは式ＩＩ−１ａ〜ＩＩ−１ｄの化合物群より選択される化合物を含む。
【００２５】
【化９】
0005546771.tif 000010
式中、
パラメーターは上で与えられるそれぞれの意味を有し、好ましくは、
Ｌ２１およびＬ２２の両方がＦで、Ｌ２３およびＬ２４の両方がＨであるか、または
Ｌ２１、Ｌ２２、Ｌ２３およびＬ２４の全てがＦである。
【００２６】
式ＩＩ−１の特に好ましい化合物は、以下である。
【００２７】
【化１０】
0005546771.tif 000011
式中、Ｒ２は、上で与えられる意味を有する。
【００２８】
好ましい実施形態において、Ｌ２１、Ｌ２２、Ｌ２３およびＬ２４の全てがＦである、式ＩＩ−２およびＩＩ−３の化合物群より選択される１種類以上の化合物を媒体が含む。
【００２９】
好ましくは媒体は、式ＩＩ−２の１種類以上、好ましくは式ＩＩ−２ａ〜ＩＩ−２ｃの化合物群より選択される化合物を含む。
【００３０】
【化１１】
0005546771.tif 000012
式中、
パラメーターは上で与えられるそれぞれの意味を有し、好ましくは、
Ｌ２１およびＬ２２の両方がＦである。
【００３１】
好ましくは媒体は、式ＩＩ−３ａ〜ＩＩ−３ｅの化合物群より選択される１種類以上の化合物を含む。
【００３２】
【化１２】
0005546771.tif 000013
式中、
パラメーターは上で与えられるそれぞれの意味を有する。
【００３３】
好ましくは媒体は、Ｌ２１およびＬ２２、またはＬ２３およびＬ２４の両方がＦである、式ＩＩ−３ａ〜ＩＩ−３ｅの化合物群より選択される１種類以上の化合物を含む。
【００３４】
好ましい実施形態において、媒体は、Ｌ２１、Ｌ２２、Ｌ２３およびＬ２４の全てがＦである、式ＩＩ−３ａ〜ＩＩ−３ｅの化合物群より選択される１種類以上の化合物を含む。
【００３５】
式ＩＩ−３の特に好ましい化合物は、以下である。
【００３６】
【化１３】
0005546771.tif 000014
式中、Ｒ２は、上で与えられる意味を有する。
【００３７】
本発明の更なる好ましい実施形態において、媒体は、式ＩＩＩ−１およびＩＩＩ−２の化合物群より選択される１種類以上の化合物を含む。
【００３８】
【化１４】
0005546771.tif 000015
式中、
パラメーターは上で式ＩＩＩにおいて与えられるそれぞれの意味を有する。
【００３９】
好ましくは媒体は、式ＩＩＩ−１の１種類以上、好ましくは式ＩＩＩ−１ａ〜ＩＩＩ−１ｊの化合物群より選択される化合物を含む。
【００４０】
【化１５】
0005546771.tif 000016
【００４１】
【化１６】
0005546771.tif 000017
式中、
パラメーターは上で与えられるそれぞれの意味を有し、Ｌ３３〜Ｌ３６は、それぞれ互いに独立にＨまたはＦである。
【００４２】
式ＩＩＩ−１ａの好ましい化合物は、式ＩＩＩ−１ａ−１〜ＩＩＩ−１ａ−４の化合物群より選択される。
【００４３】
【化１７】
0005546771.tif 000018
式中、
Ｒ３は上で与えられる意味を有する。
【００４４】
式ＩＩＩ−１ｂの好ましい化合物は、式ＩＩＩ−１ｂ−１およびＩＩＩ−１ｂ−２、好ましくはＩＩＩ−１ｂ−２の化合物群より選択される。
【００４５】
【化１８】
0005546771.tif 000019
式中、
Ｒ３は上で与えられる意味を有する。
【００４６】
式ＩＩＩ−１ｃの好ましい化合物は、式ＩＩＩ−１ｃ−１〜ＩＩＩ−１ｃ−５の化合物群より選択される。
【００４７】
【化１９】
0005546771.tif 000020
式中、
Ｒ３は上で与えられる意味を有する。
【００４８】
式ＩＩＩ−１ｄおよびＩＩＩ−１ｅの好ましい化合物は、式ＩＩＩ−１ｄ−１およびＩＩＩ−１ｅ−１の化合物群より選択される。
【００４９】
【化２０】
0005546771.tif 000021
式中、
Ｒ３は上で与えられる意味を有する。
【００５０】
式ＩＩＩ−１ｆの好ましい化合物は、式ＩＩＩ−１ｆ−１〜ＩＩＩ−１ｆ−５の化合物群より選択される。
【００５１】
【化２１】
0005546771.tif 000022
式中、
Ｒ３は上で与えられる意味を有する。
【００５２】
式ＩＩＩ−１ｇの好ましい化合物は、式ＩＩＩ−１ｇ−１〜ＩＩＩ−１ｇ−５の化合物群より選択される。
【００５３】
【化２２】
0005546771.tif 000023
式中、
Ｒ３は上で与えられる意味を有する。
【００５４】
式ＩＩＩ−１ｈの好ましい化合物は、式ＩＩＩ−１ｈ−１〜ＩＩＩ−１ｈ−３の化合物群より選択される。
【００５５】
【化２３】
0005546771.tif 000024
式中、
Ｒ３は上で与えられる意味を有する。
【００５６】
式ＩＩＩ−２の好ましい化合物は、式ＩＩＩ−２ａおよびＩＩＩ−２ｂの化合物群より選択される。
【００５７】
【化２４】
0005546771.tif 000025
式中、
パラメーターは上で与えられるそれぞれの意味を有し、パラメーターＬ３３およびＬ３４は、それぞれ互いに、および他のパラメーターと独立に、ＨまたはＦである。
【００５８】
式ＩＩＩ−２ａの好ましい化合物は、式ＩＩＩ−２ａ−１〜ＩＩＩ−２ａ−６の化合物群より選択される。
【００５９】
【化２５】
0005546771.tif 000026
式中、
Ｒ３は、上で与えられる意味を有する。
【００６０】
本発明による媒体は、式ＩＩＩ−１および／またはＩＩＩ−２の化合物に替えて、または加えて、式ＩＩＩ−３の化合物を１種類以上含むことができる。
【００６１】
【化２６】
0005546771.tif 000027
式中、
パラメーターは上で式ＩＩＩにおいて与えられるそれぞれの意味を有する。好ましくは、これらの化合物は式ＩＩＩ−３ａの化合物である。
【００６２】
【化２７】
0005546771.tif 000028
式中、
Ｒ３は、上で与えられる意味を有する。
【００６３】
好ましくは、式ＩＶの化合物は、式ＩＶ−１〜ＩＶ−５の化合物群より選択される。
【００６４】
【化２８】
0005546771.tif 000029
式中、
Ｒ４１およびＲ４２は、上で一般的に式ＩＶにおいて与えられるそれぞれの意味を有し、
通常、特に式ＩＶ−１およびＩＶ−５において、Ｒ４１は、好ましくは、アルキルまたはアルケニル、好ましくは、アルケニルであり、Ｒ４２は、好ましくは、アルキルまたはアルケニル、好ましくは、アルキルであり、
あるいは、式ＩＶ−２において、Ｒ４１およびＲ４２の両方は、好ましくは、アルキルであり、
式ＩＶ−４において、Ｒ４１は、好ましくは、アルキルまたはアルケニル、好ましくは、アルキルであり、Ｒ４２は、好ましくは、アルキルまたはアルコキシ、好ましくは、アルコキシである。
【００６５】
好ましくは媒体は、式ＩＶ−１、ＩＶ−４およびＩＶ−５の化合物群より選択される１種類以上の化合物、好ましくは、式ＩＶ−１の１種類以上の化合物と式ＩＶ−４およびＩＶ−５の群より選択される１種類以上の化合物、最も好ましくは式ＩＶ−１およびＩＶ−５のそれぞれの１種類以上の化合物を含む。
【００６６】
本発明の好ましい実施形態において、媒体は、式ＩＶ−５、より好ましくはそれのそれぞれのサブ式である式ＣＣＰ−Ｖ−ｎおよび／またはＣＣＰ−ｎＶ−ｍおよび／またはＣＣＰ−Ｖｎ−ｍより選択される、より好ましくは式ＣＣＰ−Ｖ−ｎおよび／またはＣＣＰ−Ｖ２−ｎより選択される、最も好ましくは式ＣＣＰ−Ｖ−１およびＣＣＰ−Ｖ２−１の群より選択される１種類以上の化合物を含む。これらの略号（頭文字）の定義は、下の表Ｂにおいて与えられる。
【００６７】
先のものと同一でも異なっていても構わない本発明の更なる好ましい実施形態において、本発明による液晶媒体は、上で示される通り式ＩＶ−１〜ＩＶ−５の化合物群より選択される式ＩＶの１種類以上の化合物と、式ＩＶ−６〜ＩＶ−１１、最も好ましくは式ＩＶ−１０の化合物群より選択される１種類以上の化合物とを含む。
【００６８】
【化２９】
0005546771.tif 000030
式中、
Ｒ４１およびＲ４２は、それぞれ互いに独立に、炭素数１〜７のアルキル、アルコキシ、フッ素化されたアルキルまたはフッ素化されたアルコキシ、炭素数２〜７のアルケニル、アルケニルオキシ、アルコキシアルキルまたはフッ素化されたアルケニルであり、
Ｌ４は、ＨまたはＦである。
【００６９】
本発明による媒体は、式ＩＩおよび／またはＩＩＩの化合物に替えて、または加えて、式Ｖの１種類以上の誘電的に正の化合物を含むことができる。
【００７０】
【化３０】
0005546771.tif 000031
式中、
Ｒ５は、炭素数１〜７のアルキル、アルコキシ、フッ素化されたアルキルまたはフッ素化されたアルコキシ、炭素数２〜７のアルケニル、アルケニルオキシ、アルコキシアルキルまたはフッ素化されたアルケニルであり、好ましくは、アルキルまたはアルケニルであり、
【００７１】
【化３１】
0005546771.tif 000032
Ｌ５１およびＬ５２は、それぞれ互いに独立にＨまたはＦであり、好ましくは、Ｌ５１はＦであり、
Ｘ５は、ハロゲン、炭素数１〜３のハロゲン化されたアルキルまたはアルコキシ、炭素数２または３のハロゲン化されたアルケニルまたはアルケニルオキシであり、好ましくは、Ｆ、Ｃｌ、−ＯＣＦ３または−ＣＦ３、最も好ましくはＦ、Ｃｌまたは−ＯＣＦ３であり、
Ｚ５は、−ＣＨ２ＣＨ２−、−ＣＦ２ＣＦ２−、−ＣＯＯ−、トランス−ＣＨ＝ＣＨ−、トランス−ＣＦ＝ＣＦ−または−ＣＨ２Ｏ−、好ましくは、−ＣＨ２ＣＨ２−、−ＣＯＯ−またはトランス−ＣＨ＝ＣＨ−、最も好ましくは、−ＣＯＯ−または−ＣＨ２ＣＨ２−であり、
ｑは、０または１である。
【００７２】
式Ｖの化合物は、好ましくは、式Ｖ−１およびＶ−２の化合物群より選択される。
【００７３】
【化３２】
0005546771.tif 000033
式中、
パラメーターは、上で与えられるそれぞれの意味を有し、
パラメーターＬ５３およびＬ５４は、それぞれ互いに、および他のパラメーターと独立に、ＨまたはＦであり、
好ましくは、Ｚ５は−ＣＨ２−ＣＨ２−である。
【００７４】
好ましくは、式Ｖ−１の化合物は、式Ｖ−１ａおよびＶ−１ｂの化合物群より選択される。
【００７５】
【化３３】
0005546771.tif 000034
式中、Ｒ５は、上で与えられる意味を有する。
【００７６】
好ましくは、式Ｖ−２の化合物は、式Ｖ−２ａからＶ−２ｄの化合物群より選択される。
【００７７】
【化３４】
0005546771.tif 000035
式中、Ｒ５は、上で与えられる意味を有する。
【００７８】
好ましい実施形態において、本発明による液晶媒体は、式ＶＩの１種類以上の化合物を含む。
【００７９】
【化３５】
0005546771.tif 000036
式中、
Ｒ６１およびＲ６２は、それぞれ互いに独立に、上で式ＩＩにおいてＲ２に与えられる意味を有し、好ましくは、Ｒ６１はアルキルで、Ｒ６２はアルキルまたはアルケニルであり、
【００８０】
【化３６】
0005546771.tif 000037
Ｚ６１およびＺ６２は、それぞれ互いに独立に、および、Ｚ６１が２回ある場合は、これらもそれぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−または単結合であり、好ましくは、それらの少なくとも１つは単結合であり、および
ｒは、０、１または２であり、好ましくは、０または１である。
【００８１】
好ましくは、式ＶＩの化合物は、式ＶＩ−１およびＶＩ−２の化合物群より選択される。
【００８２】
【化３７】
0005546771.tif 000038
式中、
Ｒ６１およびＲ６２は、上で式ＶＩにおいて与えられるそれぞれの意味を有し、Ｒ６１は、好ましくは、アルキル、より好ましくはｎ−アルキルであり、
式ＶＩ−１において、Ｒ６２は、好ましくは、アルケニル、好ましくは、−（ＣＨ２）２−ＣＨ＝ＣＨ−ＣＨ３であり、
式ＶＩ−２において、Ｒ６２は、好ましくは、アルキルである。
【００８３】
式ＶＩ−１の好ましい化合物は、式ＰＰ−ｎ−２Ｖｍ、より好ましくは式ＰＰ−１−２Ｖ１の化合物である。これらの略号（頭文字）の定義は、下の表Ｂにおいて与えられる。
【００８４】
式ＶＩ−２の好ましい化合物は、式ＰＧＰ−ｎ−ｍ、より好ましくは式ＰＧＰ−３−ｍ、より好ましくは、式ＰＧＰ−３−２、ＰＧＰ−３−３、ＰＧＰ−３−４およびＰＧＰ−３−５より選択される化合物である。これらの略号（頭文字）の定義は、下の表Ｂにおいて与えられる。
【００８５】
好ましくは、本発明による液晶媒体は、式Ｉ〜ＶＩ、好ましくはＩ〜ＩＶおよびＶＩ、最も好ましくはＩ〜ＩＶの化合物群より選択される化合物を含み、より好ましくは大部分がこれらよりなり、より好ましくは本質的にこれらよりなり、最も好ましくは全てがこれらよりなる。
【００８６】
本出願中で用語「含む」は、組成物の文脈において、例えば媒体または成分などの言及される物が、問題となっている単一または複数種類の成分または単一または複数種類の化合物を含有していることを意味しており、他に明らかに定義されない限り、好ましくは総濃度で１０％以上、最も好ましくは２０％以上含有している。
【００８７】
この文脈において他に明らかに定義されない限り、用語「大部分が・・よりなる」は、言及される物が、問題となっている単一または複数種類の成分または単一または複数種類の化合物を５５％以上、好ましくは６０％以上、最も好ましくは７０％以上を含有することを意味する。
【００８８】
この文脈において他に明らかに定義されない限り、用語「本質的に・・よりなる」は、言及される物が、問題となっている単一または複数種類の成分または単一または複数種類の化合物を８０％以上、好ましくは９０％以上、最も好ましくは９５％以上を含有することを意味する。
【００８９】
この文脈において他に明らかに定義されない限り、用語「全てが・・よりなる」は、言及される物が、問題となっている単一または複数種類の成分または単一または複数種類の化合物を９８％以上、好ましくは９９％以上、最も好ましくは１００．０％を含有することを意味する。
【００９０】
また、本発明の媒体の中で、上では明確には述べていないが、その他のメソゲン性化合物を任意成分として、有利に使用することもできる。そのような化合物は、当該分野の専門家に既知である。
【００９１】
本発明による液晶媒体は、７０℃以上の、好ましくは７５℃以上の透明点によって特徴付けられる。
【００９２】
本発明による液晶媒体の５８９ｎｍ（ＮａＤ）および２０℃におけるΔｎは、好ましくは、０．０７０以上〜０．１６０以下の範囲内、より好ましくは０．０８０以上〜０．１４５以下の範囲内、最も好ましくは０．０９０以上〜０．１３０以下の範囲内である。
【００９３】
本発明の第１の特に好ましい実施形態において、液晶媒体のΔｎは、０．０９０以上〜０．１３０以下の範囲内、より好ましくは０．０９５以上〜０．１２５以下の範囲内、より好ましくは０．１００以上〜０．１２０以下の範囲内、最も好ましくは０．１０５以上〜０．１１５以下の範囲内である。
【００９４】
本発明による液晶媒体の１ｋＨｚおよび２０℃におけるΔεは、好ましくは３以上、より好ましくは４以上、最も好ましくは５以上であり、一方、Δεは１２以下が好ましく、より好ましくは１０以下、最も好ましくは７以下である。
【００９５】
好ましくは、本発明の媒体のネマチック相は、少なくとも０℃以下〜８０℃以上であり、より好ましくは少なくとも−２０℃以下〜８０℃以上、最も好ましくは少なくとも−３０℃以下〜８０℃以上、特には少なくとも−４０℃以下から９０℃以上である。
【００９６】
好ましくは、液晶媒体は、式Ｉ、ＩＩ、ＩＩＩ、ＩＶ、ＶおよびＶＩ、好ましくは、式Ｉ、ＩＩ、ＩＩＩおよびＩＶの１種類以上の化合物を、総量の５０％〜１００％、より好ましくは７０％〜１００％、より好ましくは８０％〜１００％、特に９０％〜１００％含有する。
【００９７】
より好ましくは、液晶媒体は、式Ｉ、ＩＩ、ＩＩＩ、ＩＶ、ＶおよびＶＩ、好ましくは、式Ｉ、ＩＩ、ＩＩＩおよびＩＶの１種類以上の化合物を含み、より好ましくは大部分がこれらよりなり、より好ましくは本質的にこれらよりなり、最も好ましくは全てがこれらよりなる。
【００９８】
式Ｉの化合物は、好ましくは、総混合物の１％〜３０％、より好ましくは２％〜２０％、より好ましくは２％〜１５％、最も好ましくは３％〜１２％の総濃度で媒体中において使用される。
【００９９】
本発明の好ましい実施形態によれば、式Ｉの化合物は、好ましくは、総混合物の１％〜２０％、より好ましくは２％〜１５％、最も好ましくは３％〜１２％の総濃度で使用される。
【０１００】
式ＩＩおよびＩＩＩの化合物は、好ましくは、総混合物の１５％〜５５％、より好ましくは２０％〜５０％、より好ましくは２５％〜４５％、最も好ましくは３０％〜４０％の総濃度で媒体中において使用される。
【０１０１】
式ＩＩの化合物は、好ましくは、総混合物の１％〜４０％、より好ましくは２％〜３０％、より好ましくは３％〜２０％、最も好ましくは５％〜１５％の総濃度で媒体中において使用される。
【０１０２】
式ＩＩＩの化合物は、好ましくは、総混合物の５％〜４５％、より好ましくは１０％〜４０％、より好ましくは１５％〜３５％、最も好ましくは２０％〜３０％の総濃度で媒体中において使用される。
【０１０３】
式ＩＶの化合物は、好ましくは、総混合物の２０％〜７５％、より好ましくは３０％〜７０％、より好ましくは４０％〜６５％、最も好ましくは５０％〜７０％の総濃度で媒体中において使用される。
【０１０４】
式Ｖの化合物は、好ましくは、総混合物の０％〜３０％、好ましくは１％〜３０％、より好ましくは５％〜２０％、最も好ましくは１０％〜２０％の総濃度で媒体中において使用される。
【０１０５】
式ＶＩの化合物は、好ましくは、総混合物の０％〜３０％、好ましくは０％〜１５％、最も好ましくは１％〜１０％の総濃度で媒体中において使用される。
【０１０６】
任意に、本発明による媒体は、物理的性質を調節するために、さらに液晶化合物を含むことができる。そのような化合物は、専門家に既知である。本発明による媒体中におけるそれらの濃度は、好ましくは０％〜３０％、より好ましくは０．１％〜２０％、最も好ましくは１％〜１５％である。
【０１０７】
好ましくは、本発明による媒体は、
・式ＩＩ−１−ｃ−１、好ましくは式ＰＵＱＵ−ｎ−Ｆ；および／または
・式ＩＩＩ−１ａ、好ましくは式ＩＩＩ−１ａ−１および／またはＩＩＩ−１ａ−４；および／または
・式ＩＩＩ−１ｇ、好ましくは式ＩＩＩ−１ｇ−３および／またはＩＩＩ−１ｇ−４および／またはＩＩＩ−１ｇ−５、より好ましくは式ＰＧＵ−ｎ−Ｆおよび／またはＧＧＰ−ｎ−Ｆおよび／またはＧＧＰ−ｎ−ＣＬ；および／または
・式ＩＩＩ−１ｈ、好ましくは式ＩＩＩ−１ｈ−３；および／または
・式ＩＶ−１、好ましくは式ＣＣＰ−Ｖ−ｎおよび／またはＣＣＰ−Ｖ２−ｎおよび／またはＣＣＰ−ｎＶ２−ｍ、より好ましくは式ＣＣＰ−Ｖ−１および／またはＣＣＰ−Ｖ２および／またはＣＣＰ−Ｖ２−１および／またはＣＣＰ−Ｖ２−２および／またはＣＣＰ−１Ｖ２−１；および／または
・式ＩＶ−５、好ましくは式ＣＣ−ｎ−Ｖおよび／またはＣＣ−ｎ−Ｖｍ、より好ましくは式ＣＣ−３−Ｖおよび／またはＣＣ−４−Ｖおよび／またはＣＣ−５−Ｖおよび／またはＣＣ−３−Ｖ１；および／または
・式ＩＶ−１１、好ましくは式ＣＰＰＣ−ｎ−ｎおよび／またはＣＧＰＣ−ｎ−ｍ、より好ましくは式ＣＰＰＣ−３−３および／またはＣＰＰＣ−５−３および／またはＣＰＰＣ−５−５および／またはＣＧＰＣ−３−３および／またはＣＧＰＣ−５−３および／またはＣＰＧＣ−５−５；
の１種類以上の化合物を含む。
【０１０８】
本出願において、「誘電的に正」という用語は、化合物または成分がΔε＞３．０であること、「誘電的に中性」という用語は、−１．５≦Δε≦３．０であること、「誘電的に負」という用語は、Δε＜−１．５であることを意味し、Δεは、１ｋＨｚの周波数および２０℃において決定される。それぞれの化合物の誘電異方性は、ネマチックホスト混合物中での、個々の化合物のそれぞれの１０％の溶液の結果から決定される。それぞれの化合物のホスト混合物中での溶解性が１０％未満であるときは、濃度を５％まで低下する。試験混合物の容量は、ホメオトロピック配向を有するセルおよびホモジニアス配向を有するセルの両方において決定する。両方の型のセルのセル間隔は、およそ２０μｍである。印加される電圧は、１ｋＨｚの周波数で室温において典型的には０．５Ｖ〜１．０Ｖの二乗平均平方根値を有する矩形波であるが、しかしながら、常にそれぞれの試験混合物の容量閾値よりも低く選択される。
【０１０９】
Δεは（ε‖−ε⊥）と定義され、一方、εａｖは（ε‖＋２ε⊥）／３と定義される。
【０１１０】
誘電的に正の化合物については、混合物ＺＬＩ−４７９２が、誘電的に中性ならびに誘電的に負の化合物については、混合物ＺＬＩ−３０８６が、それぞれホスト混合物として使用され、両方ともドイツ国メルク社製である。化合物の誘電率は、興味ある化合物を添加した際の、ホスト混合物のそれぞれの値の変化から決定される。その値を、興味ある化合物の濃度１００％に外挿する。
【０１１１】
２０℃の測定温度でネマチック相を有する成分は、そのままで測定され、他の全ても化合物の測定と同様に処理される。
【０１１２】
本出願において「閾電圧」という用語は、他に明言しない限り、光学的閾値を意味して１０％相対的コントラスト（Ｖ１０）について与えられ、「飽和電圧」という用語は、光学的飽和を意味して９０％相対的コントラスト（Ｖ９０）について与えられる。フレデリクス閾値（ＶＦｒ）とも呼ばれる容量的閾電圧（Ｖ０）は、明らかに述べる場合にのみ使用する。
【０１１３】
本出願で与えられたパラメーターの範囲は、他に明言しない限り、全て限界値を含む。
【０１１４】
本出願を通じて、他に明言しない限り、全ての濃度は、質量パーセントで与えられ、それぞれの完全な混合物に関するものであり、全ての温度は、摂氏度（セルシウス）で与えられ、全ての温度差も摂氏度で与えられる。全ての物理的特性は、「Ｍｅｒｃｋ  Ｌｉｑｕｉｄ  Ｃｒｙｓｔａｌｓ、Ｐｈｙｓｉｃａｌ  Ｐｒｏｐｅｒｔｉｅｓ  ｏｆ  Ｌｉｑｕｉｄ  Ｃｒｙｓｔａｌｓ」、１９９７年１１月刊、ドイツ国メルク社により決定されたか決定され、他に明言しない限り、２０℃の温度に対して与えられる。光学異方性（Δｎ）は、５８９．３ｎｍの波長で決定される。誘電異方性（Δε）は、１ｋＨｚの周波数で決定される。閾電圧、ならびに他の全ての電気光学的特性は、ドイツ国メルク社で調製された試験セルにより決定された。Δεの決定のための試験セルは、約２０μｍのセル間隔を有していた。電極は、１．１３ｃｍ２の面積および保護リングを有する円形ＩＴＯ電極であった。配向層は、ホメオトロピック配向（ε‖）用にはレシチン、ホモジニアス配向（ε⊥）用には日本合成ゴム社製ポリイミドＡＬ−１０５４であった。容量は、０．３Ｖｒｍｓの電圧を有する正弦波を使用する周波数応答解析装置Ｓｏｌａｔｒｏｎ１２６０によって決定した。電気光学的測定において使用した光は、白色光であった。用いた装置構成は、ドイツ国Ａｕｔｒｏｎｉｃ  Ｍｅｌｃｈｅｒｓ社の商業的に入手可能な装置であった。特性電圧を、垂直観察の下で決定した。閾値（Ｖ１０）−中間灰色（Ｖ５０）−および飽和（Ｖ９０）電圧は、それぞれ１０％、５０％および９０％相対コントラストで決定した。
【０１１５】
本発明による液晶媒体は、通常の濃度で更に添加剤およびキラルドーパントを含むことができる。これらの更なる構成成分の総濃度は、総混合物に基づいて０％〜１０％、好ましくは０．１％〜６％の範囲である。それぞれ使用される個々の化合物の濃度は、好ましくは０．１％〜３％の範囲である。これらおよび類似の添加物の濃度は、本出願の液晶媒体の液晶成分および化合物の濃度の値および範囲には考慮されない。また、このことは、混合物中で使用される二色性染料の濃度についても当てはまり、ホスト混合物の化合物および成分の濃度がそれぞれ特定される場合には考慮されない。それぞれの添加剤の濃度は、常に、最終的にドープされた混合物に対して与えられる。
【０１１６】
本発明による本発明の液晶媒体は、数種の化合物、好ましくは３〜３０種類、より好ましくは４〜２０種類、および最も好ましくは４〜１６種類の化合物からなる。これらの化合物は、慣用的な方法で混合される。原則として、より少ない量で使用される化合物の必要量を、より多い量で使用される化合物に溶解する。より高い濃度で用いられる化合物の透明点より温度が高い場合には、溶解の過程の完了を観察するのは特に容易である。しかしながら、他の慣用の方法、例えば同族化合物混合物または共融混合物であることができる所謂プレ混合物の使用や、構成成分が使用可能な状態の混合物自身である所謂マルチ・ボトル・システムにより媒体を調製することもできる。
【０１１７】
適切な添加剤を加えることにより、ＴＮ、ＴＮ−ＡＭＤ、ＥＣＢ−ＡＭＤ、ＶＡＮ−ＡＭＤ、ＩＰＳ−ＡＭＤ、ＦＦＳ−ＡＭＤ  ＬＣＤなどのように液晶媒体をそのまま使用するディスプレイ、またはＰＤＬＣ、ＮＣＡＰ、ＰＮ  ＬＣＤ、特にＡＳＭ−ＰＡ  ＬＣＤなどのように複合材系中で液晶媒体を使用するディスプレイ等の公知の液晶ディスプレイの全てにおいて使用できるように、本発明による液晶媒体を改変できる。
【０１１８】
液晶の融点Ｔ（Ｃ、Ｎ）、スメクチック相（Ｓ）からネマチック（Ｎ）相への転移Ｔ（Ｓ、Ｎ）および透明点Ｔ（Ｎ、Ｉ）は、摂氏度で与えられる。
【０１１９】
本出願および特に以下の例において、液晶化合物の構造は「頭文字」とも呼ばれる略号で表される。略号から対応する構造への変換は、以下の３つの表Ａ〜Ｃによって一義的に行われる。
【０１２０】
全ての基ＣｎＨ２ｎ＋１、ＣｍＨ２ｍ＋１およびＣｌＨ２ｌ＋１は、それぞれ炭素数ｎ、ｍおよびｌの好ましくは直鎖状のアルキル基であり、−ＣＨ＝ＣＨ−は好ましくはトランスで、それぞれＥビニレンである。
【０１２１】
表Ａに環構造要素に使用される記号を、表Ｂに結合基に使用される記号を、表Ｃに分子の左側および右側の末端基に使用される記号を列記する。
【０１２２】
表Ｄに、それぞれのコードと共に分子構造の例を列記する。
【０１２３】
【表１】
0005546771.tif 000039
【０１２４】
【表２】
0005546771.tif 000040
【０１２５】
【表３】
0005546771.tif 000041
【０１２６】
【表４】
0005546771.tif 000042
式中、ｎおよびｍはそれぞれ整数であり、３つの点「．．．」は、この表の他の記号のためのスペースを表す。
【０１２７】
好ましくは、本発明による液晶媒体は、式Ｉの化合物に加え、以下の表の式の化合物群より選択される１種類以上の化合物を含む。
【０１２８】
【表５】
0005546771.tif 000043
【０１２９】
【表６】
0005546771.tif 000044
【０１３０】
【表７】
0005546771.tif 000045
【０１３１】
【表８】
0005546771.tif 000046
【０１３２】
【表９】
0005546771.tif 000047
【０１３３】
【表１０】
0005546771.tif 000048
【０１３４】
【表１１】
0005546771.tif 000049
【０１３５】
【表１２】
0005546771.tif 000050
【０１３６】
【表１３】
0005546771.tif 000051
【０１３７】
【表１４】
0005546771.tif 000052
表Ｅに、本発明による液晶媒体中で好ましくは使用されるキラルドーパントを列記する。
【０１３８】
【表１５】
0005546771.tif 000053
【０１３９】
【表１６】
0005546771.tif 000054
【０１４０】
【表１７】
0005546771.tif 000055
本発明の好ましい実施形態において、本発明による媒体は、表Ｅの化合物群より選択される１種類以上の化合物を含む。
【０１４１】
表Ｆに、本発明による液晶媒体中で好ましくは使用される安定剤を列記する。
【０１４２】
【表１８】
0005546771.tif 000056
【０１４３】
【表１９】
0005546771.tif 000057
【０１４４】
【表２０】
0005546771.tif 000058
【０１４５】
【表２１】
0005546771.tif 000059
本発明の好ましい実施形態において、本発明による媒体は、表Ｆの化合物群より選択される１種類以上の化合物を含む。
【０１４６】
本発明による液晶媒体は、好ましくは
・表Ｄの化合物群より好ましくは選択される４種類以上、好ましくは６種類以上の化合物、好ましくは、
・表Ｄの式の群より選択される７種類以上、好ましくは８種類以上の化合物で、好ましくは３種類以上の異なる式の化合物
を含む。
【実施例】
【０１４７】
以下で与えられる例は、いかなる方法でも制限することなく、本発明を説明するものである。
【０１４８】
しかしながら、物理的特性および組成は、どの特性が達成できるか、そして、どの範囲でそれらを変更できるかを専門家に説明する。よって、特に、好ましくは達成できる各種の特性の組み合わせが、専門家のために十分に規定される。
【０１４９】
＜例１＞
以下の表に与えられる組成および特性の液晶混合物を実現する。
【０１５０】
【表２２】
0005546771.tif 000060
この混合物は、ＩＰＳ−およびＦＦＳ−モード中で動作するディスプレイ、特に携帯用の用途に良く適している。
【０１５１】
＜例２＞
以下の表に与えられる組成および特性の液晶混合物を実現する。
【０１５２】
【表２３】
0005546771.tif 000061
この混合物は、ＩＰＳ−およびＦＦＳ−モード中で動作するディスプレイ、特に携帯用の用途に良く適している。